(57)【要約】【課題】省エネルギー性と快適性を兼ね備えた照明制御システムを提供する。【解決手段】照明制御システムを構成する照明器具２は、光源２０と、光源２０に点灯電力を供給する点灯部２１と、点灯部２１の出力を制御する制御部２２及び調光信号出力部２３と、他の照明器具２やコントローラ１との間で情報を送受信する通信部２４とを備える。各照明器具２は、設置エリアに応じて、対応する照明器具２の出力を一括制御する複数の照明グループの何れかに割り付けられ、さらに隣接する２つの照明グループの重複エリアに設置された照明器具２は、両照明グループに重複して割り付けられる。そして、隣接する２つの照明グループに重複して割り付けられた照明器具２の制御部２２は、一方の照明グループに設けられた人感センサ４により人がいなくなったことを検出すると、他方の照明グループに設定された光出力よりも低い調光レベルで光源２０を調光点灯させる。【選択図】図１
2012064529.tif 000002
【特許請求の範囲】
【請求項１】
光源と、前記光源に点灯電力を供給する点灯回路と、前記点灯回路の出力を制御する制御回路と、他の機器との間で情報を送受信する通信回路とを備えた複数の照明器具を具備し、
前記複数の照明器具の各々は、設置エリアに応じて、対応する照明器具の出力を一括制御する複数の照明グループの何れかに割り付けられるとともに、隣接する２つの照明グループの重複エリアに設置された照明器具は、両照明グループに重複して割り付けられ、
前記隣接する２つの照明グループの何れか一方は、当該照明グループのエリア内における人の存否を検出する人感センサを備え、
前記隣接する２つの照明グループに重複して割り付けられた照明器具の前記制御回路は、前記人感センサにより人がいなくなったことを検出すると、前記隣接する２つの照明グループの他方に設定された光出力よりも低い調光レベルで前記光源を調光点灯させることを特徴とする照明制御システム。
【請求項２】
光源と、前記光源に点灯電力を供給する点灯回路と、前記点灯回路の出力を制御する制御回路と、他の機器との間で情報を送受信する通信回路とを備えた複数の照明器具を具備し、
前記複数の照明器具の各々は、設置エリアに応じて、対応する照明器具の出力を一括制御する複数の照明グループの何れかに割り付けられるとともに、隣接する２つの照明グループの重複エリアに設置された照明器具は、両照明グループに重複して割り付けられ、
前記隣接する２つの照明グループの何れか一方は、当該照明グループのエリア内における人の存否を検出する人感センサを備え、
前記隣接する２つの照明グループに重複して割り付けられた照明器具の前記制御回路は、前記隣接する２つの照明グループの他方に設定された光出力で前記光源を点灯させているときに前記人感センサにより人がいなくなったことを検出すると、前記光源を前記光出力による点灯状態からフェード消灯させることを特徴とする照明制御システム。
【請求項３】
少なくとも前記隣接する２つの照明グループの他方に割り付けられた照明器具の点灯・消灯を制御する制御用スイッチを備え、
前記隣接する２つの照明グループに重複して割り付けられた照明器具の前記制御回路は、前記制御用スイッチがオフにされている間は前記人感センサの検出結果のみに基づいて前記光源を点灯・消灯させることを特徴とする請求項１又は２記載の照明制御システム。
【発明の詳細な説明】
【技術分野】
【０００１】
本発明は、照明制御システムに関するものである。
【背景技術】
【０００２】
従来より、人の存否を検出し、不在時には指定されたエリアの照明器具を消灯させる照明制御システム（例えば特許文献１参照）や、明るさセンサが接続され、外光や周囲環境の影響に応じて照明器具の調光率を制御する照明制御システムが提供されている。
【０００３】
図６はこれらの照明制御システムの適用例を示すレイアウト図である。通路Ｐ１には複数（図６では４個）の人感センサ４が設置されており、これらの人感センサ４の検出結果に基づいて通路Ｐ１に設置された複数（図６では９個）の照明器具２の点灯・消灯が切り替えられる。また、通路Ｐ１に隣接する３つの部屋Ｒ１〜Ｒ３内にはそれぞれ明るさセンサ３が設置されており、各明るさセンサ３の検出結果に基づいて各部屋Ｒ１〜Ｒ３内にそれぞれ設置された複数（図６では各９個）の照明器具２の調光率が設定される。
【先行技術文献】
【特許文献】
【０００４】
【特許文献１】特開平７−３１２２９５号公報（段落［００１２］−段落［００１６］、及び、第１図）
【発明の概要】
【発明が解決しようとする課題】
【０００５】
図６に示した照明制御システムでは、例えば部屋Ｒ１内の通路Ｐ１側（つまり窓Ｗ１付近）で作業しているときに通路Ｐ１に設置された照明器具２が急に消灯すると、作業面の照度は変わらないが、空間の照度が変化するため不快に感じる場合があった。また、部屋Ｒ１内においてプロジェクタ等を使用する際には室内の照明器具２を消灯させることになるが、通路Ｐ１に面した窓Ｗ１側では、室内が暗いことから通路Ｐ１に設置された照明器具２の点灯・消灯が窓Ｗ１を通して判り、不快に感じる場合があった。
【０００６】
そこで、このような不快感を生じさせないように、人の不在時において完全に消灯させるのではなく、例えば人検出時には１００％、非検出時には２５％で点灯させる方法もあるが、２５％であっても人がいない状況で点灯させるのは無駄であった。
【０００７】
本発明は上記問題点に鑑みて為されたものであり、その目的とするところは、省エネルギー性と快適性を兼ね備えた照明制御システムを提供することにある。
【課題を解決するための手段】
【０００８】
本発明の照明制御システムは、光源と、光源に点灯電力を供給する点灯回路と、点灯回路の出力を制御する制御回路と、他の機器との間で情報を送受信する通信回路とを備えた複数の照明器具を具備し、複数の照明器具の各々は、設置エリアに応じて、対応する照明器具の出力を一括制御する複数の照明グループの何れかに割り付けられるとともに、隣接する２つの照明グループの重複エリアに設置された照明器具は、両照明グループに重複して割り付けられ、隣接する２つの照明グループの何れか一方は、当該照明グループのエリア内における人の存否を検出する人感センサを備え、隣接する２つの照明グループに重複して割り付けられた照明器具の制御回路は、人感センサにより人がいなくなったことを検出すると、隣接する２つの照明グループの他方に設定された光出力よりも低い調光レベルで光源を調光点灯させることを特徴とする。
【０００９】
また、本発明の照明制御システムは、光源と、光源に点灯電力を供給する点灯回路と、点灯回路の出力を制御する制御回路と、他の機器との間で情報を送受信する通信回路とを備えた複数の照明器具を具備し、複数の照明器具の各々は、設置エリアに応じて、対応する照明器具の出力を一括制御する複数の照明グループの何れかに割り付けられるとともに、隣接する２つの照明グループの重複エリアに設置された照明器具は、両照明グループに重複して割り付けられ、隣接する２つの照明グループの何れか一方は、当該照明グループのエリア内における人の存否を検出する人感センサを備え、隣接する２つの照明グループに重複して割り付けられた照明器具の制御回路は、隣接する２つの照明グループの他方に設定された光出力で光源を点灯させているときに人感センサにより人がいなくなったことを検出すると、光源を光出力による点灯状態からフェード消灯させることを特徴とする。
【００１０】
さらに、この照明制御システムにおいて、少なくとも隣接する２つの照明グループの他方に割り付けられた照明器具の点灯・消灯を制御する制御用スイッチを備え、隣接する２つの照明グループに重複して割り付けられた照明器具の制御回路は、制御用スイッチがオフにされている間は人感センサの検出結果のみに基づいて光源を点灯・消灯させるのが好ましい。
【発明の効果】
【００１１】
省エネルギー性と快適性を兼ね備えた照明制御システムを提供することができるという効果がある。
【図面の簡単な説明】
【００１２】
【図１】本発明の概略ブロック図である。
【図２】同上のレイアウト図である。
【図３】同上に用いられるセンサの送信データである。
【図４】（ａ），（ｂ）は同上を構成するコントローラの動作を説明するフローチャートである。
【図５】同上を構成する照明器具の動作を説明するフローチャートである。
【図６】従来例のレイアウト図である。
【発明を実施するための形態】
【００１３】
以下に、本発明に係る照明制御システムの実施形態を図面に基づいて説明する。
【００１４】
図１は本実施形態の照明制御システムの概略ブロック図であり、コントローラ１と、通信線Ｌ１，Ｌ１を介してコントローラ１に接続される複数の照明器具２と、周囲の明るさを検出する明るさセンサ３と、人の存否を検出する人感センサ４とを備える。
【００１５】
照明器具２は、例えば蛍光灯や白熱電球、発光ダイオード（ＬＥＤ）、有機ＥＬなどからなる光源２０と、光源２０に点灯電力を供給する点灯部（点灯回路）２１と、点灯部２１の出力を制御する制御部２２及び調光信号出力部２３とを備える。また、照明器具２は、他の照明器具２やコントローラ１との間で通信線Ｌ１，Ｌ１を介して情報を送受信する通信部（通信回路）２４と、記憶部２５とを備える。なお、記憶部２５には、自己のアドレスやコントローラ１のアドレスなどが格納される。ここに、本実施形態では、上記の制御部２２及び調光信号出力部２３により制御回路が構成されている。
【００１６】
点灯部２１は、調光信号出力部２３から出力される調光信号に従って光源２０の光出力を調光可能な回路である。制御部２２は、例えばマイクロプロセッサやロジックＩＣなどからなり、通信部２４で受信した情報に従って制御内容（光源２０の点灯・消灯や調光率など）を決定する。通信部２４は、他の照明器具２やコントローラ１からの情報を受信するとともに、自己の情報を他の照明器具２やコントローラ１に送信する。
【００１７】
コントローラ１は、通信線Ｌ１，Ｌ１を介して各照明器具２との間で情報を送受信するとともに、明るさセンサ３及び人感センサ４からの検出信号を受信する通信部１２と、通信部１２で受信した上記の検出信号に従って演算処理を行う演算部１０とを備える。また、コントローラ１は、演算部１０の処理結果に応じて各照明器具２の制御内容を決定する制御部１１と、記憶部１３とを備える。なお、記憶部１３には、自己のアドレスや明るさセンサ３及び人感センサ４のアドレス、各センサ３，４と各照明器具２とのグループ情報などが格納される。
【００１８】
ここに、グループ情報とは、各センサ３，４と各照明器具２との対応関係を示す情報のことであり、後述する部屋Ｒ１〜Ｒ３及び廊下Ｐ１に設置された各照明器具２は、それぞれ何れかのセンサ３，４とグループ設定され、各センサ３，４の検出結果に応じてその点灯・消灯或いは調光率が制御される。また、部屋Ｒ４に設置された照明器具２は、センサ３，４の何れともグループ設定されていない。なお、レイアウトについては後述する。
【００１９】
制御部１１は、例えばマイクロプロセッサやロジックＩＣなどからなり、通信部１２で受信した情報を演算部１０を用いて演算処理し、その結果に基づいて制御内容を決定する。また、制御部１１は、決定した制御内容と、記憶部１３から読み出した送信先（本例では対象となる照明器具２）のアドレスを通信部１２に出力し、通信部１２から通信線Ｌ１，Ｌ１を介して対象となる照明器具２に向けて送信させる。
【００２０】
明るさセンサ３は、周囲の明るさを検出するためのセンサであり、検知部３０と制御部３１と通信部３２と記憶部３３とを備える。なお、記憶部３３には、自己のアドレスやコントローラ１のアドレス、上記のグループ情報などが格納される。
【００２１】
検知部３０で取得した明るさ情報（例えば照度など）は制御部３１に入力され、制御部３１では、取得した明るさ情報と、記憶部３３から読み出した送信先（本例ではコントローラ１）のアドレスとを含む送信データ（図３参照）を通信部３２に出力する。そして、通信部３２では、制御部３１から受け取った上記の送信データを通信線Ｌ１，Ｌ１を介してコントローラ１に向けて送信する。
【００２２】
人感センサ４は、人の存否を検出するためのセンサであり、明るさセンサ３と同様に、検知部４０と制御部４１と通信部４２と記憶部４３とを備える。なお、記憶部４３には、自己のアドレスやコントローラ１のアドレス、上記のグループ情報などが格納される。
【００２３】
検知部４０で取得した人の存否情報は制御部４１に入力され、制御部４１では、取得した存否情報と、記憶部４３から読み出した送信先（本例ではコントローラ１）のアドレスとを含む送信データ（図３参照）を通信部４２に出力する。そして、通信部４２では、制御部４１から受け取った上記の送信データを通信線Ｌ１，Ｌ１を介してコントローラ１に向けて送信する。
【００２４】
ここで、図３は、上記の明るさセンサ３及び人感センサ４から送信される送信データを示している。この送信データは、送信先（本例ではコントローラ１）のアドレスと、センサの種類を示す符号（例えば明るさセンサ３なら０、人感センサ４なら１など）と、上記の明るさ情報又は存否情報を示す情報データと、自己のアドレスとが含まれている。一方、コントローラ１では、上記の送信データに含まれる送信先のアドレスが自己のアドレスに一致することから、この送信データに含まれるセンサの種類、情報データ及び送信元のアドレスを受信する。そして、送信元のアドレスから後述する照明グループＧ１〜Ｇ４の何れかを特定し、特定した何れかの照明グループＧ１〜Ｇ４に割り付けられた各照明器具２に対して制御命令を送信する。なお、詳細については後述する。
【００２５】
次に、図２は本実施形態の照明制御システムの適用例を示すレイアウト図であり、通路Ｐ１には、複数（図２では４個）の人感センサ４と複数（図２では９個）の照明器具２とで構成された照明グループＧ４が設置されている。また、通路Ｐ１に隣接する３つの部屋Ｒ１〜Ｒ３には、明るさセンサ３と複数（図２では、部屋Ｒ１，Ｒ２は１２個、部屋Ｒ３は９個）の照明器具２とで構成された照明グループＧ１〜Ｇ３がそれぞれ設置されている。つまり、部屋Ｒ１〜Ｒ３及び廊下Ｐ１に設置された各照明器具２は、その設置エリアに応じて、少なくとも照明グループＧ１〜Ｇ４の何れかに割り付けられているのである。なお、部屋Ｒ４に設置された照明器具２は、照明グループＧ１〜Ｇ４の何れにも割り付けられていない。
【００２６】
ここにおいて、部屋Ｒ１，Ｒ２と廊下Ｐ１の間の壁には窓Ｗ１，Ｗ２が設けられており、照明グループＧ４において窓Ｗ１，Ｗ２付近に設置された照明器具２（図２中の斜線部）は、部屋Ｒ１，Ｒ２内の明るさに少なからず影響を与える。そのため、照明グループＧ４において窓Ｗ１，Ｗ２付近に設置された照明器具２は、照明グループＧ１又はＧ２にも重複して割り付けられている。
【００２７】
ところで、図４はコントローラ１の動作を説明するフローチャートであり、以下にコントローラ１の動作について説明する。まず、図４（ａ）は明るさセンサ３からの明るさ情報（例えば照度など）を受け取った場合の動作を示すフローチャートであり、制御部１１は通信部１２を介して明るさセンサ３から定期的に照度を取得する（ステップＳ１）。明るさセンサ３から照度を複数回取得すると、制御部１１は演算部１０を用いて照度の平均値を計算するとともに（ステップＳ２）、この平均値と予め設定された照度目標値とを比較する（ステップＳ３）。その結果、算出した照度の平均値と照度目標値とが異なっている場合には、制御部１１は照度の平均値が照度目標値となるように調光率を設定する（ステップＳ４）。そして、制御部１１は、この調光率を含む送信データを通信部１２から通信線Ｌ１，Ｌ１を介して対象となる照明グループＧ１、Ｇ２又はＧ３の各照明器具２に向けて送信させる（ステップＳ５）。
【００２８】
一方、対象となる照明グループＧ１、Ｇ２又はＧ３の各照明器具２では、送信データに含まれる送信先のアドレスが自己のアドレスに一致することから、制御部２２は送信データに含まれる調光率を受信する。そして、制御部２２は、受信した調光率に対応する調光信号を調光信号出力部２３から点灯部２１に出力させ、調光信号を受け取った点灯部２１では、この調光信号に対応する点灯電力を光源２０に供給する。
【００２９】
また、図４（ｂ）は人感センサ４からの存否情報（具体的には人検知信号）を受け取った場合の動作を示すフローチャートであり、何れかの人感センサ４により人が検出されると、制御部１１は通信部１２を介して人検知信号を取得する（ステップＳ１１）。また、制御部１１は、照明グループＧ４の各照明器具２に対する点灯情報（例えば点灯信号や調光率など）を送ってからの送信間隔を計時しており（ステップＳ１２）、この送信間隔が一定間隔以上である場合には、上記の点灯情報を含む送信データを照明グループＧ４の各照明器具２に向けて通信部１２から送信させる（ステップＳ１３）。そして、上記の送信データを受け取った各照明器具２では、当該送信データに含まれる点灯情報に従って光源２０を調光点灯させる。
【００３０】
ここに、本実施形態では、通信トラフィックの増大を抑制するためにコントローラ１からの点灯情報の送信間隔を一定間隔以上に設定しているが、例えば人感センサ４からの人検知信号の送信間隔を一定間隔以上に設定してもよく、同様に通信トラフィックの増大を抑制することができる。
【００３１】
一方、コントローラ１は、人感センサ４から一定時間以上人検知信号を受け取らなかったときは、照明グループＧ４の各照明器具２に対して消灯命令を含む送信データを送信する。そして、照明グループＧ４のうち、重複してグループ割り付けされていない照明器具２は、上記の消灯命令に従って対応する光源２０を消灯させる。
【００３２】
ここに、上記の照明器具２において、コントローラ１より送信された送信データを受信してからの時間をカウントし、このカウント値が所定時間以上（つまり次の送信データを所定時間以上受け取っていない）になると、光源２０を消灯させるようにしてもよい。この場合、コントローラ１との通信を一部省略できることから、通信トラフィックの増大を抑えることができる。
【００３３】
次に、図５は隣接する２つの照明グループＧ１，Ｇ４又は照明グループＧ２，Ｇ４に重複して割り付けられた照明器具２（図２中の斜線部）の動作を説明するフローチャートであり、以下では照明グループＧ１，Ｇ４に重複して割り付けられた照明器具２を例に説明する。各照明器具２の制御部２２は、明るさセンサ３の検出結果に応じてコントローラ１から一定間隔で送信される調光率を含む送信データを受信する（ステップＳ２１）。このとき、制御部２２は、人感センサ４の検出結果に応じてコントローラ１から送信される送信データの受信間隔を計時しており、この受信間隔が一定時間以内、つまり人感センサ４により人が検出された場合には（ステップＳ２２のＹｅｓ）、上記の調光率により光源２０を調光点灯させる（ステップＳ２３）。一方、上記の受信間隔が一定時間以上、つまり人感センサ４により人が検出されない場合には（ステップＳ２２のＮｏ）、制御部２２は、演算部１０を用いて上記の調光率に補正値（例えば５０％）を掛け合わせたものを新たな調光率とし（ステップＳ２４）、光源２０をこの調光率で調光点灯させる（ステップＳ２５）。
【００３４】
つまりこの場合、人感センサ４により人がいなくなったことを検出すると、照明グループＧ１，Ｇ４の重複エリアに設置された照明器具２を、照明グループＧ１のみに割り付けられた照明器具２の調光レベル（光出力）よりも低い調光レベルで調光点灯させるのである。その結果、隣接する照明器具２の照度差による不快感を軽減することができ、快適性が向上するという利点がある。しかも、照明グループＧ４において、照明グループＧ１，Ｇ２に隣接する照明器具２（図２中の斜線部）のみを調光点灯させればいいので、照明グループＧ４全体を調光点灯させる場合に比べて省エネルギー化が図れるという利点もある。
【００３５】
ところで、照明グループＧ１，Ｇ４又は照明グループＧ２，Ｇ４の重複エリアに設置された各照明器具２において、明るさセンサ３の検出結果に応じて設定される調光レベルで光源２０を調光点灯させているときに人感センサ４により人がいなくなったことを検出した場合には、光源２０を上記の調光レベルからフェード消灯するようにしてもよい。その結果、急激な照度変化を抑えることができるので、照度変化による不快感を軽減することができ、快適性が向上するという利点がある。しかも、人がいない状況では光源２０を調光点灯させなくてもいいので、更なる省エネルギー化が図れる。なおこの場合、上記のフェード消灯中に人感センサ４により人が検出された場合には、人感センサ４の検出結果を優先し、上記の調光率（明るさセンサ３の検出結果に応じて設定される調光率）で光源２０を調光点灯させることになる。また、上記のフェード消灯のフェード時間は、照度変化が気にならない時間に設定される。
【００３６】
また、図示は省略しているが、例えばタイムスイッチのような時間に応じてオン・オフされる制御用スイッチを通信線Ｌ１に設け、この制御用スイッチのオン・オフに応じて照明グループＧ１〜Ｇ３の点灯・消灯を制御するようにしてもよい。この場合、上記の制御用スイッチがオフにされるとコントローラ１にオフ信号が入力され、コントローラ１からは、上記のオフ信号に対応する消灯信号が照明グループＧ１〜Ｇ３の各照明器具２に向けて送信される。そして、隣接する２つの照明グループＧ１，Ｇ４又は照明グループＧ２，Ｇ４の重複エリアに設置された照明器具２では、上記の消灯信号が入力されると、人感センサ４の検出結果のみに基づいて点灯・消灯が制御される。つまり、本例によれば、上記の制御用スイッチがオフになっている間は人感センサ４の検出結果のみに基づいて光源２０を点灯・消灯させるので、人がいない状況では光源２０を調光点灯させなくてもよく、更なる省エネルギー化が図れるという利点がある。
【００３７】
なお、本実施形態では、照明器具２とは別にコントローラ１を設けた場合を例に説明したが、例えば何れかの照明器具２にコントローラ１が内蔵されていてもよい。また、本実施形態では、明るさセンサ３及び人感センサ４の両方を備えた照明制御システムを例に説明したが、少なくとも人感センサ４を備えていればよく、例えば照明グループＧ１〜Ｇ３については調光器（図示せず）によって調光できるようになっていてもよい。
【符号の説明】
【００３８】
１  コントローラ
２  照明器具
４  人感センサ
２０  光源
２１  点灯部（点灯回路）
２２  制御部（制御回路）
２３  調光信号出力部（制御回路）
２４  通信部（通信回路）
【図１】
2012064529.tif 000003
【図２】
2012064529.tif 000004
【図３】
2012064529.tif 000005
【図４】
2012064529.tif 000006
【図５】
2012064529.tif 000007
【図６】
2012064529.tif 000008